(57)【要約】【課題】テレビジョン受像機において、操作銘板を装着部に容易に着脱し、ＯＳＤ表示する言語を容易に設定する。【解決手段】フロントパネル（操作銘板）２は、表面側に形成された磁性を有する鉄部２４と、裏面側に突出して形成された２つの凸部２１、２２とを有し、装着部１４は、フロントパネル２の磁力の作用を受ける磁性体を有する。孔３１、３２の内部には、スイッチ４１、４２が設けられ、スイッチ４１、４２は基板１９上に設置され、制御用マイコンと電気的に接続している。フロントパネル２が装着部１４に装着されると、フロントパネル２側の凸部２１が孔３１に、凸部２２が孔３２に挿入され、スイッチ４１、４２を押す。制御用マイコンは、スイッチ４１、４２のそれぞれが、オン状態かオフ状態かを検出し、この検出結果に基いて、ＯＳＤ表示する言語を設定し、設定された言語のＯＳＤをディスプレイに表示する。【選択図】図７
2007228137.tif 000002
【特許請求の範囲】
【請求項１】
各種のメッセージ等を表示する表示手段と、
前記表示手段に所定のＯＳＤ（Ｏｎ  Ｓｃｒｅｅｎ  Ｄｉｓｐｌａｙ）表示をさせるＯＳＤ表示手段と、
ユーザが操作するためのボタン等を有する操作手段と、
前記操作手段のボタンの機能等が記載された操作銘板と、
前記操作手段の近傍に位置し、前記操作銘板が装着される装着部と、
装置各部を制御する制御手段とを備えたテレビジョン受像機において、
前記ＯＳＤ表示手段を用いてＯＳＤ表示をする言語を切り換えるための複数のスイッチをさらに備え、
前記操作銘板は、磁性を有する磁性体と、前記装着部との装着面に突出して形成された凸部とを有し、
前記装着部は、磁力の作用を受ける磁性体を有し、前記操作銘板との装着面には、前記凸部を挿入する複数の孔が形成され、
前記複数のスイッチのそれぞれは、前記複数の孔のうちいずれか１つの孔の内側に設けられ、これら複数のスイッチのそれぞれは、前記凸部が該孔に挿入されることによりオン状態又はオフ状態に切り替えられ、
前記制御部は、前記複数のスイッチのそれぞれがオン状態かオフ状態かを検出するスイッチ状態検出手段を有し、
ユーザが、前記操作銘板を前記装着部に磁力を作用させて装着すると共に、前記凸部を前記孔に挿入し、前記複数のスイッチのうちの少なくとも１つを切り替えたとき、
前記制御部は、前記スイッチ状態検出手段を用いて、前記複数のスイッチのそれぞれが、オン状態かオフ状態かを検出し、この検出結果に基いて、前記ＯＳＤ表示手段を用いてＯＳＤ表示する言語を設定し、設定された言語のＯＳＤを前記表示手段に表示することを特徴とするテレビジョン受像機。
【請求項２】
各種のメッセージ等を表示する表示手段と、
前記表示手段に所定のＯＳＤ（Ｏｎ  Ｓｃｒｅｅｎ  Ｄｉｓｐｌａｙ）表示をさせるＯＳＤ表示手段と、
ユーザが操作するためのボタンの機能等が記載された操作銘板と、
前記操作銘板が装着される装着部と、
装置各部を制御する制御手段とを備えたテレビジョン受像機において、
前記ＯＳＤ表示手段を用いてＯＳＤ表示をする言語を切り換えるためのスイッチをさらに備え、
前記操作銘板は、前記装着部との装着面に突出して形成された凸部を有し、
前記装着部は、前記操作銘板との装着面に、前記凸部を挿入する複数の孔が形成され、
前記スイッチは、前記孔の内側に設けられ、
前記制御部は、前記スイッチがオン状態かオフ状態かを検出するスイッチ状態検出手段を有し、
ユーザが、前記操作銘板を前記装着部に装着したとき、
前記制御部は、前記スイッチ状態検出手段を用いて、前記スイッチのそれぞれが、オン状態かオフ状態かを検出し、この検出結果に基いて、前記ＯＳＤ表示手段を用いてＯＳＤ表示する言語を設定し、設定された言語のＯＳＤを前記表示手段に表示することを特徴とするテレビジョン受像機。
【請求項３】
前記操作銘板は、磁性を有する磁性体をさらに有し、
前記装着部は、磁力の作用を受ける磁性体をさらに有し、
ユーザが、前記操作銘板を前記装着部に磁力を作用させて装着することを特徴とする請求項２に記載のテレビジョン受像機。
【発明の詳細な説明】
【技術分野】
【０００１】
本発明は、テレビジョン受像機に関し、特にＯＳＤ表示する言語の切替機能に関する。
【背景技術】
【０００２】
近年、各種設定や操作を行うための操作ボタンが設けられたテレビ等には、操作ボタンの近傍に、各操作ボタンの機能の説明が記載されたフロントパネル（操作銘板）が装着されている。また、テレビ等には、複数枚のフロントパネルが用意され、各フロントパネルは、それぞれ異なった言語（例えば、日本語、英語、又はフランス語等）で記載されており、ユーザは、複数のフロントパネルの中から、所望の言語で記載されたフロントパネルを選択し、テレビ等に装着する。
【０００３】
また、テレビ等において、画面上にＯＳＤ（Ｏｎ  Ｓｃｒｅｅｎ  Ｄｉｓｐｌａｙ）を表示させることにより、ディスプレイの調整、例えば、画面表示の位置や大きさ等を行うものが知られている。ＯＳＤ表示は、それぞれ異なった言語（例えば、日本語、英語、又はフランス語等）で表示可能であり、ユーザにより選択された言語を用いて表示するものである。しかし、例えば、日本語しか理解できないユーザが、フランス語で表示されたＯＳＤ表示を見ながら、フランス語の表示から日本語の表示へと表示する言語を変更する操作を行うことは、フランス語を理解できないユーザにとって困難である。
【０００４】
ところで、上記問題に対して、特許文献１の発明は、出荷する先の国が異なるなどの各言語仕様に対応する複数のプログラムが記憶された記憶部と、操作ボタン等の機能の説明が記載されたフロントパネルと、このフロントパネルを装着する装着部とを備え、フロントパネルの一部が、言語仕様に応じて異なる形状とされ、フロントパネルの形状の差異を検出して、使用するプログラムを切り替えるテレビである。
【０００５】
また、特許文献２の発明は、背面に操作パネルが設けられ、操作パネルの内側に、操作ボタンを有する有機ＥＬシートディスプレイが組み込まれ、操作ボタンの近傍に、各操作ボタンの名称等を表示するフロントパネルが設けられ、出荷先ごとに異なる言語で表示をすることができるテレビである。
【０００６】
また、特許文献３の発明は、異なった言語で操作ボタン等の機能の説明が記載された複数枚のフロントパネルを備え、フロントパネルの装着面には、複数のスイッチが設けられ、フロントパネルにはスイッチに対応する位置に突起部が各言語によって異ならしめて配設され、言語選択手段が各スイッチのオン状態、オフ状態によってユーザが所望する言語を自動的に選択するテレビである。しかし、上記特許文献１乃至特許文献３に記載された発明には、フロントパネルが磁力を作用させて装着部に容易に着脱可能である旨の概念は示されていない。
【特許文献１】特開２００４−１３９４４９号公報
【特許文献２】特開２００４−１３３１３１号公報
【特許文献３】特開平１１−７２５５号公報
【発明の開示】
【発明が解決しようとする課題】
【０００７】
本発明は、上記問題を解決するためになされたものであり、操作銘板を装着部に容易に着脱すること、及びＯＳＤ表示する言語を容易に設定することができるテレビジョン受像機を提供することを目的とする。
【課題を解決するための手段】
【０００８】
上記目的を達成するために請求項１の発明は、各種のメッセージ等を表示する表示手段と、前記表示手段に所定のＯＳＤ（Ｏｎ  Ｓｃｒｅｅｎ  Ｄｉｓｐｌａｙ）表示をさせるＯＳＤ表示手段と、ユーザが操作するためのボタン等を有する操作手段と、前記操作手段のボタンの機能等が記載された操作銘板と、前記操作手段の近傍に位置し、前記操作銘板が装着される装着部と、装置各部を制御する制御手段とを備えたテレビジョン受像機において、前記ＯＳＤ表示手段を用いてＯＳＤ表示をする言語を切り換えるための複数のスイッチをさらに備え、前記操作銘板は、磁性を有する磁性体と、前記装着部との装着面に突出して形成された凸部とを有し、前記装着部は、磁力の作用を受ける磁性体を有し、前記操作銘板との装着面には、前記凸部を挿入する複数の孔が形成され、前記複数のスイッチのそれぞれは、前記複数の孔のうちいずれか１つの孔の内側に設けられ、これら複数のスイッチのそれぞれは、前記凸部が該孔に挿入されることによりオン状態又はオフ状態に切り替えられ、前記制御部は、前記複数のスイッチのそれぞれがオン状態かオフ状態かを検出するスイッチ状態検出手段を有し、ユーザが、前記操作銘板を前記装着部に磁力を作用させて装着すると共に、前記凸部を前記孔に挿入し、前記複数のスイッチのうちの少なくとも１つを切り替えたとき、前記制御部は、前記スイッチ状態検出手段を用いて、前記複数のスイッチのそれぞれが、オン状態かオフ状態かを検出し、この検出結果に基いて、前記ＯＳＤ表示手段を用いてＯＳＤ表示する言語を設定し、設定された言語のＯＳＤを前記表示手段に表示するものである。
【０００９】
請求項２の発明は、各種のメッセージ等を表示する表示手段と、前記表示手段に所定のＯＳＤ（Ｏｎ  Ｓｃｒｅｅｎ  Ｄｉｓｐｌａｙ）表示をさせるＯＳＤ表示手段と、ユーザが操作するためのボタンの機能等が記載された操作銘板と、前記操作銘板が装着される装着部と、装置各部を制御する制御手段とを備えたテレビジョン受像機において、前記ＯＳＤ表示手段を用いてＯＳＤ表示をする言語を切り換えるためのスイッチをさらに備え、前記操作銘板は、前記装着部との装着面に突出して形成された凸部を有し、前記装着部は、前記操作銘板との装着面に、前記凸部を挿入する複数の孔が形成され、前記スイッチは、前記孔の内側に設けられ、前記制御部は、前記スイッチがオン状態かオフ状態かを検出するスイッチ状態検出手段を有し、ユーザが、前記操作銘板を前記装着部に装着したとき、前記制御部は、前記スイッチ状態検出手段を用いて、前記スイッチのそれぞれが、オン状態かオフ状態かを検出し、この検出結果に基いて、前記ＯＳＤ表示手段を用いてＯＳＤ表示する言語を設定し、設定された言語のＯＳＤを前記表示手段に表示するものである。
【００１０】
請求項３の発明は、請求項２に記載のテレビジョン受像機において、前記操作銘板は、磁性を有する磁性体をさらに有し、前記装着部は、磁力の作用を受ける磁性体をさらに有し、ユーザが、前記操作銘板を前記装着部に磁力を作用させて装着するものである。
【発明の効果】
【００１１】
請求項１に記載の発明によれば、ユーザが、装着部に磁力を作用させて操作銘板を装着するので、ユーザが操作銘板を容易に着脱することができる。また、ユーザが、凸部を孔に挿入し、複数のスイッチのうちの少なくとも１つを切り替えたとき、制御部は、複数のスイッチのそれぞれが、オン状態かオフ状態かを検出し、この検出結果に基いて、ＯＳＤ表示する言語を設定し、設定された言語のＯＳＤを表示手段に表示する。そのため、ユーザが操作銘板を装着するだけで、ＯＳＤ表示する言語を設定することができるので、ユーザが、理解できない言語で表示されたＯＳＤ表示を見ながら、操作手段を操作して、ＯＳＤ表示する言語を設定する必要がなく、ＯＳＤ表示する言語を容易に設定することができる。
【００１２】
請求項２に記載の発明によれば、ユーザが、操作銘板を装着部に装着したとき、制御部は、スイッチのそれぞれが、オン状態かオフ状態かを検出し、この検出結果に基いて、ＯＳＤ表示する言語を設定し、設定された言語のＯＳＤを表示する。そのため、ユーザが操作銘板を装着するだけで、ＯＳＤ表示する言語を設定することができるので、ユーザが、理解できない言語で表示されたＯＳＤ表示を見ながら、操作手段を操作することにより、ＯＳＤ表示する言語を設定する必要がないので、ＯＳＤ表示する言語を容易に設定することができる。
【００１３】
請求項３に記載の発明によれば、上述した請求項１に記載の発明と同様の効果を得ることができる。
【発明を実施するための最良の形態】
【００１４】
以下、本発明の一実施形態について、図１乃至図３を参照して説明する。図１は、本実施形態に係るテレビ（テレビジョン受像機）にフロントパネル（操作銘板）を取り付けた状態の前面を示し、図２は、テレビにフロントパネルを取り付けていない状態の前面を示し、図３は、テレビの内部構成を示す。
【００１５】
テレビ１は、装置本体を支える支柱部３と、各種のメッセージ等を表示するディスプレイ１１（表示手段）と、音声を出力するスピーカ１２と、ユーザが操作するためのボタン等を有する操作部１３（操作手段）と、操作部１３の各ボタンの機能等が記載されたフロントパネル２（操作銘板）と、フロントパネル２が装着される装着部１４とを備えている。
【００１６】
また、テレビ１は、アンテナ４を介してテレビジョン放送信号を受信するチューナ１６と、ディスプレイ１１に所定のＯＳＤ（Ｏｎ  Ｓｃｒｅｅｎ  Ｄｉｓｐｌａｙ）表示をさせるＯＳＤ部１５（ＯＳＤ表示手段）と、ＯＳＤ表示等を行うためのプログラムが格納されたメモリ１８と、ＯＳＤ部１５を用いてＯＳＤ表示をする言語を切り換えるためのスイッチ４１、４２と、装置各部を制御する制御用マイコン１７（制御手段）とをさらに備えている。
【００１７】
フロントパネル２は、装着部１４との装着面（以下、裏面という）に突出して形成された２つの凸部２１、２２を有し、表面が、磁性を有する鉄で形成され、裏面には、シール状部材が配設されている。また、このフロントパネル２には、裏面から表面に向けて操作部１３を突出させるための開口２３が形成されている。なお、図１に示すフロントパネル２は、操作部１３の各ボタンの機能等が英語で記載されたものとする。装着部１４は、フロントパネル２の磁力の作用を受ける磁性体を有し、フロントパネル２との装着面には、凸部２１、２２を挿入する孔３１、３２が形成されている（図２参照）。
【００１８】
図３に示される２つのスイッチ４１、４２は、装着部１４の２つの孔３１，３２のうちいずれか１つの孔の内側に設けられ、これら２つのスイッチ４１、４２のそれぞれは、凸部２１、２２が孔３１、３２に挿入されることによりオン状態又はオフ状態に切り替えられる。制御用マイコン１７は、２つのスイッチ４１、４２のそれぞれがオン状態かオフ状態かを検出するスイッチ状態検出手段としても機能する。
【００１９】
次に、各言語用のフロントパネル２の例について、図４乃至図６を参照して説明する。図４乃至図６のそれぞれは、フロントパネル２の裏面を示す。図４に示すフロントパネル２は、フロントパネル２の裏面を示す。このフロントパネル２は、裏面に２つの凸部２１、２２を備え、フロントパネル２の表面には操作部１３の各ボタンの機能等の説明が英語で記載されている。図５に示すフロントパネル２は、裏面に１つの凸部２２を備え、フロントパネル２の表面には操作部１３の各ボタンの機能等の説明がフランス語で記載されている。図６に示すフロントパネル２は、裏面に１つの凸部２１を備え、フロントパネル２の表面には操作部１３の各ボタンの機能等の説明がスペイン語で記載されている。
【００２０】
次に、スイッチのオン／オフ状態の切り替えについて、図面を参照して説明する。図７は、図４に示したフロントパネル２が装着部１４に装着された状態の、図１のＡ−Ａ´線断面を示す。このフロントパネル２は、表面に形成された磁性を有する鉄部２４と、裏面に形成されたシール状部材２５と、裏面に突出して形成された２つの凸部２１、２２とを有する。装着部１４の孔３１、３２の内部には、スイッチ４１、４２が設けられ、スイッチ４１、４２は基板１９上に設置されている。また、スイッチ４１、４２は、基板１９を介して制御用マイコン１７と接続している。このフロントパネル２が装着部１４に装着されると、凸部２１が孔３１に、凸部２２が孔３２に挿入される。このとき、凸部２１、２２が、スイッチ４１、４２を押圧するため、スイッチ４１、４２はどちらもオン状態となる。
【００２１】
図８は、図５に示したフロントパネル２が装着部１４に装着された状態の、図１のＡ−Ａ´線断面を示す。このフロントパネル２は、裏面に突出して形成された凸部が凸部２２だけであり、図７に示される凸部２１を有していないこと以外は、図７に示すフロントパネル２の構成と同様である。また、テレビ１の本体側の構成も図７と同様である。このフロントパネル２が装着部１４に装着されると、凸部２２が孔３２に挿入される。このとき、凸部２２が、スイッチ４２を押すため、スイッチ４２はオン状態となり、スイッチ４１はオフ状態となる。
【００２２】
次に、各言語用のフロントパネル２を装着部１４に装着したときの制御用マイコン１７の処理について、図９を参照して説明する。図９では、スイッチ４１を「ＳＷ１」と記し、スイッチ４２を「ＳＷ２」と記している。まず、制御用マイコン１７は、スイッチ４１の状態を検出し（Ｓ１）、この検出の結果、スイッチ４１がオン状態である場合（Ｓ２でＹＥＳ）、スイッチ４２の状態を検出し（Ｓ４）、スイッチ４２がオン状態である場合（Ｓ６でＹＥＳ）、ＯＳＤ表示する言語に英語を設定し（Ｓ８）、英語で記述されたＯＳＤをディスプレイ１１に表示して（Ｓ９）、処理を終了する。一方、スイッチ４２の状態がオフ状態の場合（Ｓ６でＮＯ）、制御用マイコン１７は、ＯＳＤ表示する言語にフランス語を設定し（Ｓ９）、フランス語で記述されたＯＳＤをディスプレイ１１に表示して（Ｓ１１）、処理を終了する。
【００２３】
一方、上記Ｓ１の検出の結果、スイッチ４１がオフ状態である場合（Ｓ２でＮＯ）、制御用マイコン１７は、スイッチ４２の状態を検出し（Ｓ３）、この検出の結果、スイッチ４２の状態がオン状態である場合（Ｓ５でＹＥＳ）、ＯＳＤ表示する言語にスペイン語を設定し（Ｓ８）、スペイン語で記述されたＯＳＤをディスプレイ１１に表示して（Ｓ１１）、処理を終了する。一方、上記Ｓ３の結果、スイッチ４２の状態がオフ状態である場合（Ｓ５でＮＯ）、上記Ｓ１０の場合と同様に、ＯＳＤ表示する言語に英語を設定し（Ｓ７）、英語で記述されたＯＳＤをディスプレイ１１に表示して（Ｓ１１）、処理を終了する。
【００２４】
上記のように、本実施形態に係るテレビ１によれば、フロントパネル２が、磁性を有する鉄部２４を有し、かつ、装着部１４がフロントパネル２の磁力の作用を受ける鉄等の磁性体を有するので、ユーザが、装着部１４に磁力を作用させてフロントパネル２を装着することができる。そのため、ユーザは、フロントパネル２を容易に着脱することができる。
【００２５】
また、ユーザが、凸部２１、２２を孔３１、３２に挿入し、スイッチ４１、４２のうちの少なくとも１つを切り替えたとき、制御用マイコン１７は、スイッチ４１、４２のそれぞれが、オン状態かオフ状態かを検出し、この検出結果に基いて、ＯＳＤ表示する言語を設定し、設定された言語のＯＳＤをディスプレイ１１に表示する。そのため、ユーザが、自分が理解できる言語で記載されたフロントパネル２を装着するだけで、ＯＳＤ表示する言語を設定することができるので、ユーザが、理解できない言語で表示されたＯＳＤ表示を見ながら、操作部１３を操作することにより、ＯＳＤ表示する言語を設定する必要がなく、ＯＳＤ表示する言語を容易に設定することができる。
【００２６】
また、制御用マイコン１７は、スイッチ４１、４２のそれぞれが、オン状態かオフ状態かを検出し、この検出結果に基いて、ＯＳＤ表示する言語を設定するので、ユーザが、ＯＳＤ表示する言語を設定するための言語選択画面等のプログラムをメモリ１８に格納する必要がないので、メモリ１８に格納するプログラムのサイズを小さくすることができる。
【００２７】
なお、上記実施形態では、本発明をテレビ１のフロントパネル２に適用した場合の例を示したが、これに限られず、例えば、液晶ディスプレイ等の表示装置のフロントパネルに用いてもよい。また、本実施形態では、フロントパネル２の凸部と、装着部１４の孔とをそれぞれ１〜２個備えている場合について示したが、これに限られず、フロントパネル２が任意個数の凸部を、装着部１４が任意個数の孔を有するものであってもよい。
【図面の簡単な説明】
【００２８】
【図１】フロントパネルが装着された状態を示すテレビの前面図。
【図２】フロントパネルが装着されていない状態を示すテレビの前面図。
【図３】上記テレビの内部構成を示すブロック図。
【図４】上記フロントパネルの一例の裏面側を示す図。
【図５】上記フロントパネルの他の例の裏面側を示す図。
【図６】上記フロントパネルの他の例の裏面側を示す図。
【図７】図４に示すフロントパネルにおける図１のＡ−Ａ´線に相当する部分の断面図。
【図８】図５に示すフロントパネルにおける図１のＡ−Ａ´線に相当する部分の断面図。
【図９】上記フロントパネルを装着部に装着したときの制御用マイコンの処理の手順を示す図。
【符号の説明】
【００２９】
１  テレビ（テレビジョン受像機）
２  フロントパネル（操作銘板）
１１  ディスプレイ（表示手段）
１３  操作部（操作手段）
１４  装着部
１５  ＯＳＤ部（ＯＳＤ表示手段）
１７  制御用マイコン（制御手段、スイッチ状態検出手段）
２１  凸部
２２  凸部
３１  孔
３２  孔
４１  スイッチ
４２  スイッチ
【図１】
2007228137.tif 000003
【図２】
2007228137.tif 000004
【図３】
2007228137.tif 000005
【図４】
2007228137.tif 000006
【図５】
2007228137.tif 000007
【図６】
2007228137.tif 000008
【図７】
2007228137.tif 000009
【図８】
2007228137.tif 000010
【図９】
2007228137.tif 000011